(57)【要約】      （修正有）【課題】永久磁石を回転体に使用するためには、次のような欠陥があり、実用化できなかった。１）磁力が弱い。２）磁極の変化が容易でない。３）回転しても少しだけで、１回転にはならない。【解決手段】回転板１を固定枠４の前後の配置して、反発力を２倍にする構造にした。回転板の周辺に磁石片を等分角度位置に固定して、それを案内板でつないだ。回転体を複数台連結させることで回転ができるようにした。回転板の回転により、案内板の形状に沿って回転して、ばねの力で、伸縮する。回転板の磁石片が固定枠の磁石片を通過するときに、相互の磁石片が最も接近するように、案内板の形状を工夫した。回転体を複数台連結させることで回転ができるようにした。連結される回転体は、固定枠に取り付けた可動体の位置が異なるもので、その位置は１台の回転体が回転できる角度内に取り付けることで、停止する前に反発力を得て回転を連続できるようにした。【選択図】図５
2012110198.tif 000002
【特許請求の範囲】
【請求項１】
回転板２組と固定枠１組で構成され、固定枠の前後に回転板を配置したものである。
【請求項２】
回転板は、回転軸、磁石片と案内板で構成され、磁石片は回転板の等分した角度の周辺に取り付けられている。案内板は固定枠からの案内車を制御するためのもので、磁石片の間に取り付けられている。
固定枠は、軸受け、可動体で構成されており、可動体はばね、可動棒、その先に取り付けられた案内車、磁石保持板と磁石片からなる。可動棒はばねの力で可動棒の軸方向に動くものである。
可動棒の先端部に取り付けられた案内車は、ばね力により回転板の案内板を押し付けている。回転板が回転することで、案内車は案内板の形状に沿って動く。案内板の形状は、Ｓ字曲線で、回転板の磁石片を通過した時点で、案内板は曲がり、磁石片を横切る形状にしてある。案内車は、ばね力により押されて伸びて、回転板の磁石片を横切ることになる。その時に、回転板の磁石片と案内車の磁石片が一番接近するになるので、相互に反発力が発生する。その反発力で回転する回転体である。
【請求項３】
上記に述べた回転体、単体では１回転させることが不可能な場合もあるため、可動体の取り付け位置の異なる回転体を２台以上連結させて、回転することを可能にした回転体である。
【発明の詳細な説明】
【技術分野】
【０００１】  本発明は、最近の永久磁石の技術革新により磁力が非常に強化されてきた。永久磁石のこの磁力（反発力）を利用することで、回転させる回転体に関するものである。
【背景技術】
【０００２】  従来、回転体は、電磁石による回転体が主であり、永久磁石を利用した回転体は実用化されていない。
【先行技術文献】
【０００３】  特になし
【発明の概要】
【発明が解決しようとする課題】
【０００４】  従来、回転体は電磁石が主である。なぜなら、永久磁石を回転体に使用するためには、次のような欠陥があり、利用できなかった。
１）磁力が弱い。
２）磁極の変化が容易でない。
３）回転しても少しだけで、１回転にはならない。
【課題を解決するための手段】
【０００５】  本発明は、磁石の磁力が改善されてきたので、これを考慮して、発明したものである。回転板を固定枠の前後の配置して、反発力を２倍にすることで、回転できる角度を増加させた。
磁極の変化は容易にできないので、次に述べるように回転板の磁石片と固定枠の磁石片を接近させることで、相互の磁石片の反発力を利用することにした。
回転板の周辺に磁石片を等分角度位置に固定して、それを案内板でつないだもの。固定枠に、回転板の磁石片に対応する位置に、磁石片を配置したものである。磁石片は案内車の上部に固定され、可動棒の先端に取り付けられており、可動棒は、ばねの力で伸縮するようになっている。
案内車は、回転板の案内板にばねの力で押し付けられて、回転板の回転により、案内板の形状に沿って回転して、ばねの力で、伸縮する。回転板の磁石片が固定枠の磁石片を通過するときに、相互の磁石片が最も接近するように、案内板の形状を工夫した。その時の反発力で回転板は回転する。
しかしながら、磁力と回転体の寸法上、このままでは１回転できない場合がある。それを解決するために、回転体を複数台連結させることで回転ができるようにしたものである。連結される回転体は、固定枠に取り付けた可動体の位置が異なるもので、その位置は１台の回転体が回転できる角度内に取り付けることで、停止する前に反発力を得て回転を連続できるようにしたものである。
【発明の効果】
【０００６】  以上に述べたように本発明は、回転板１と固定枠４に取り付けた磁石片Ｍ１、Ｍ２を近接させることで回転するものである。その回転させる仕組みは、回転板１に取り付けた案内板３と固定枠４に取り付けた磁石片Ｍ２を制御するための案内車６によって、回転板１の磁石片Ｍ１が通過した直後に、近接させて反発力を得るものである。さらに回転を連続させるために、磁石片Ｍ２の取り付け位置の異なる固定枠４を有する回転体を連結する。そうすることで、連続的に回転できる回転体が実現することになる。この実現で、家庭の発電装置、自動車の動力源、船の動力などに利用ができ、世界の人々に役立つ製品として提供することができることになる。この回転体には特別なエネルギーを必要としない。
【図面の簡単な説明】
【０００７】
【図１】本考案の回転板の図面である。
【図２】本考案の固定枠正面図と断面図である。
【図３】本考案の固定枠に取り付けられている可動体である。
【図４】本考案の案内板、案内車の位置関係を示した図である。
【図５】本考案の回転体を３台連結した断面を示した図である。
【発明を実施するための形態】
【０００８】  以下、本発明の実施の形態を図面に従って説明する。
図１は回転板１を示しており、回転軸２、案内板３、磁石片Ｍ１で構成されている。
図２は固定枠４を示しており、固定された可動体５が取り付けてある。
右の断面は、回転板２組を組み合わす構造をした断面を示している。
図３は可動体５を示している。案内筒９の中にばね１０が装備され、可動棒８がばね力により動く構造である。可動棒８の先端には、案内車６、磁石保持板７、磁石片Ｍ２が取り付けられている。回転板１に取り付けられた案内板３に沿って、案内車６が回転して、可動棒８が伸縮して、磁石片Ｍ２の位置を制御することになる。
図面４は回転板１と案内板３を平面状で示したものである。相互の磁石片Ｍ１，Ｍ２が近接した状態を示している。案内板３はＳ字曲線で、案内車６が無理なく回転できる形状をしている。
図面５は固定枠４に取り付けた固定の可動体５がそれぞれ異なるＡ，Ｂ，Ｃを連結させた断面図を示している。Ａは０度、Ｂは３０度、Ｃは６０度であり、１台の回転できる角度が４０度の場合の３台連結回転体である。
連結する回転体の数は、１台の回転体の回転角度により決められる。例えば、１２度の場合は９台の連結で回転が可能になる。
【符号の説明】
【０００９】  １  回転板
２  回転軸
３  案内板
４  固定枠
５  可動体
６  案内車
７  磁石保持板
８  可動棒
９  案内筒
１０  ばね
１１  回転軸受け
１２  回転体をつなぐ連結体
Ｍ１  回転板付磁石片
Ｍ２  可動棒付磁石片
Ａ  回転体  固定枠付磁石片が０度、９０度、１８０度、２７０度
Ｂ  回転体  固定枠付磁石片が３０度、１２０度、２１０度、３００度
Ｃ  回転体  固定枠付磁石片が６０度、１５０度、２４０度、３３０度
【図１】
2012110198.tif 000003
【図２】
2012110198.tif 000004
【図３】
2012110198.tif 000005
【図４】
2012110198.tif 000006
【図５】
2012110198.tif 000007